(57)【特許請求の範囲】
【請求項１】
上枠、下枠および左右の縦枠を有した枠体と、この枠体に開閉自在に支持される少なくとも１枚の面材とを備えた建具であって、
前記枠体は、前記面材を支持する面材支持部を有して構成され、
前記上枠、下枠および左右の縦枠のうち、互いに対向する前記左右の縦枠には、それぞれ前記面材支持部よりも室内側にて見付け方向に延びる第１見付け面部と、この第１見付け面部の室内側に対向して見付け方向に延びる第２見付け面部と、これら第１および第２の見付け面部間にて見付け方向内側に開口する凹溝部とが設けられ、
前記第１見付け面部および第２見付け面部の先端側における前記凹溝部内側には、それぞれ第１および第２の係合部が形成されており、
前記左右の縦枠における前記凹溝部に支持されて左右に開閉自在かつ開放時に当該凹溝部に収納可能な網戸部材と、前記網戸部材を開閉案内する案内部材と、前記左右の縦枠における前記第１および第２の係合部に係合されて前記凹溝部を覆うカバー部材とを備え、
前記上枠は、前記面材支持部の下端から室内側に延びる上枠底面部を有し、
前記下枠は、前記面材支持部の上端から室内側に延びる下枠上面部を有し、
前記網戸部材を設ける場合、前記上枠底面部および下枠上面部には、前記網戸部材を開閉案内しかつ前記網戸部材を設けない場合に取り外し可能に構成された案内部材が着脱可能に取り付けられ、
前記網戸部材を設けない場合、前記網戸部材および案内部材を取り外して前記カバー部材が取り付けられることで、前記上枠の上枠底面部と、前記下枠の下枠上面部と、前記左右の縦枠のカバー部材とによって、四周に連続した枠体の内周見込み面が形成される建具。
【請求項２】
上枠、下枠および左右の縦枠を有した枠体と、この枠体に開閉自在に支持される少なくとも１枚の面材とを備えた建具の施工方法であって、
前記枠体は、前記面材を支持する面材支持部を有して構成され、
前記上枠、下枠および左右の縦枠のうち、互いに対向する前記左右の縦枠には、それぞれ前記面材支持部よりも室内側にて見付け方向に延びる第１見付け面部と、この第１見付け面部の室内側に対向して見付け方向に延びる第２見付け面部と、これら第１および第２の見付け面部間にて見付け方向内側に開口する凹溝部とが設けられ、
前記第１見付け面部および第２見付け面部の先端側における前記凹溝部内側には、それぞれ第１および第２の係合部が形成されており、
前記左右の縦枠における前記凹溝部に支持されて左右に開閉自在かつ開放時に当該凹溝部に収納可能な網戸部材、および前記左右の縦枠における前記第１および第２の係合部に係合されて前記凹溝部を覆うカバー部材を用意しておき、
前記上枠は、前記面材支持部の下端から室内側に延びる上枠底面部を有し、
前記下枠は、前記面材支持部の上端から室内側に延びる下枠上面部を有し、
前記上枠底面部および下枠上面部には、前記網戸部材を開閉案内する案内部材が着脱可能に取り付けられ、この案内部材は、前記網戸部材を設けない場合に取り外し可能に構成され、前記網戸部材および案内部材を取り外して前記カバー部材が取り付けられることで、前記上枠の上枠底面部と、前記下枠の下枠上面部と、前記左右の縦枠のカバー部材とによって、四周に連続した枠体の内周見込み面が形成され、
前記網戸部材またはカバー部材のいずれか一方を前記枠体に取り付ける建具の施工方法。
【発明の詳細な説明】
【技術分野】
【０００１】
本発明は、上枠、下枠および左右の縦枠を有した枠体と、この枠体に開閉自在に支持される少なくとも１枚の面材とを備えた建具および建具の施工方法に関する。
【背景技術】
【０００２】
従来、開き窓等の建具において、室外側に開閉自在に窓枠に支持された障子と、この障子よりも室内側にて左右開閉可能に窓枠に支持された開閉網戸とを備えたものが提案されている（例えば、特許文献１参照）。
特許文献１に記載された開閉網戸は、窓枠の縦枠に固定される定置枠と、上下枠に沿って左右移動自在に支持された移動枠と、これらの定置枠と移動枠との間に設けられて折りたたみ伸縮可能な網とを有して構成されている。
【０００３】
【特許文献１】特開２０００−８７６５５号公報
【発明の開示】
【発明が解決しようとする課題】
【０００４】
しかしながら、前記特許文献１に記載されたような従来の建具では、開閉網戸を使用しない開放状態、つまり開閉網戸の移動枠を定置枠に当接させた状態において、これらの移動枠や定置枠が室内側に露出しているため、これらの枠材が目立ってしまい室内側の意匠性が劣るという問題がある。
【０００５】
本発明の目的は、意匠性が向上できるとともに使用形態の変更が容易にできる建具および建具の施工方法を提供することにある。
【課題を解決するための手段】
【０００６】
本発明の建具は、上枠、下枠および左右の縦枠を有した枠体と、この枠体に開閉自在に支持される少なくとも１枚の面材とを備えた建具であって、前記枠体は、前記面材を支持する面材支持部を有して構成され、前記上枠、下枠および左右の縦枠のうち、互いに対向する前記左右の縦枠には、それぞれ前記面材支持部よりも室内側にて見付け方向に延びる第１見付け面部と、この第１見付け面部の室内側に対向して見付け方向に延びる第２見付け面部と、これら第１および第２の見付け面部間にて見付け方向内側に開口する凹溝部とが設けられ、前記第１見付け面部および第２見付け面部の先端側における前記凹溝部内側には、それぞれ第１および第２の係合部が形成されており、前記左右の縦枠における前記凹溝部に支持されて左右に開閉自在かつ開放時に当該凹溝部に収納可能な網戸部材と、前記網戸部材を開閉案内する案内部材と、前記左右の縦枠における前記第１および第２の係合部に係合されて前記凹溝部を覆うカバー部材とを備え、前記上枠は、前記面材支持部の下端から室内側に延びる上枠底面部を有し、前記下枠は、前記面材支持部の上端から室内側に延びる下枠上面部を有し、前記網戸部材を設ける場合、前記上枠底面部および下枠上面部には、前記網戸部材を開閉案内しかつ前記網戸部材を設けない場合に取り外し可能に構成された案内部材が着脱可能に取り付けられ、前記網戸部材を設けない場合、前記網戸部材および案内部材を取り外して前記カバー部材が取り付けられることで、前記上枠の上枠底面部と、前記下枠の下枠上面部と、前記左右の縦枠のカバー部材とによって、四周に連続した枠体の内周見込み面が形成されることを特徴とする。
【０００７】
ここで、本発明の建具としては、外開き窓や縦（横）辷出し窓、突き出し窓など、面材が室外側に回動して開閉されるものでもよく、引違い窓や片引き窓、上げ下げ窓など、面材が左右または上下にスライドして開放されるものであってもよく、障子の開閉形式としては、各種のものが適用可能である。また、網戸部材としては、左右スライド開閉されるものが利用できる。
【０００８】
以上の本発明によれば、防虫のための網戸が必要である場合には網戸部材を設けることができ、網戸が不要であれば、網戸部材を設けずにカバー部材を設けることができるので、当該建具の設置場所や使用条件等に応じて網戸部材とカバー部材とが適宜選択でき、使用形態を容易に変更することができる。そして、網戸部材とカバー部材とを変更した場合でも、共通の枠体が利用できるので、製造する部材の種類を増やすことなく、利用者の要求に対応することができるとともに、建物に窓枠を取り付けた後であっても網戸部材およびカバー部材のいずれを選択して設置することができる。さらに、建具の設置当初においては網戸部材を設置しない設定であって、カバー部材を取り付けたとしても、使用開始後に網戸が必要となれば、カバー部材を取り外して網戸部材を設置することもでき、またはその逆も可能であり、使用者の利便性を向上させることができる。また、枠体に網戸部材を設けた場合には、開放状態において網戸部材が凹溝部に収納できるので、網戸部材の枠などが室内側に露出せず、建具の室内側からの意匠性を向上させることができる。一方、網戸部材を設置せずにカバー部材を枠体に設けた場合には、このカバー部材で凹溝部を覆って隠蔽できるので、凹溝部の凹凸や内部が室内側から見えず、建具の意匠性を向上させることができる。
【０００９】
また、本発明の建具では、左右に開閉自在の網戸部材を設けることで、開閉しやすく利便性に優れた網戸を設置することができる。一方、網戸を設置しない場合には、少なくとも左右の縦枠にカバー部材を設けることで、室内側から見た場合に目立つ縦枠の凹溝部をカバー部材で隠蔽することができ、建具の意匠性を確実に向上させることができる。
【００１０】
さらに、本発明の建具では、網戸部材を設けた場合において、互いに対向する左右の縦枠に凹溝部を形成し、これら左右の縦枠と交差する枠材（上枠や下枠）に案内部材を取り付けることで、網戸の開閉が円滑に実施できる。一方、網戸部材を設けずに左右の縦枠にカバー部材を設けた場合において、交差する枠材から案内部材を取り外す、あるいは、案内部材を取り付けないことで、この枠材の構造が簡素化できるとともに、前記上枠底面部および下枠上面部と、前記左右の縦枠のカバー部材とによって、四周に連続した枠体の内周見込み面を形成できて美観を向上させることもでき、建具の意匠性をさらに向上させることができる。
【００１１】
一方、本発明の建具の施工方法は、上枠、下枠および左右の縦枠を有した枠体と、この枠体に開閉自在に支持される少なくとも１枚の面材とを備えた建具の施工方法であって、前記枠体は、前記面材を支持する面材支持部を有して構成され、前記上枠、下枠および左右の縦枠のうち、互いに対向する前記左右の縦枠には、それぞれ前記面材支持部よりも室内側にて見付け方向に延びる第１見付け面部と、この第１見付け面部の室内側に対向して見付け方向に延びる第２見付け面部と、これら第１および第２の見付け面部間にて見付け方向内側に開口する凹溝部とが設けられ、前記第１見付け面部および第２見付け面部の先端側における前記凹溝部内側には、それぞれ第１および第２の係合部が形成されており、前記左右の縦枠における前記凹溝部に支持されて左右に開閉自在かつ開放時に当該凹溝部に収納可能な網戸部材、および前記左右の縦枠における前記第１および第２の係合部に係合されて前記凹溝部を覆うカバー部材を用意しておき、前記上枠は、前記面材支持部の下端から室内側に延びる上枠底面部を有し、前記下枠は、前記面材支持部の上端から室内側に延びる下枠上面部を有し、前記上枠底面部および下枠上面部には、前記網戸部材を開閉案内する案内部材が着脱可能に取り付けられ、この案内部材は、前記網戸部材を設けない場合に取り外し可能に構成され、前記網戸部材および案内部材を取り外して前記カバー部材が取り付けられることで、前記上枠の上枠底面部と、前記下枠の下枠上面部と、前記左右の縦枠のカバー部材とによって、四周に連続した枠体の内周見込み面が形成され、前記網戸部材またはカバー部材のいずれか一方を前記枠体に取り付けることを特徴とする。
この発明によれば、前述と同様に、建具の意匠性が向上できるとともに、建具の使用形態の変更が容易にできる。
【発明を実施するための最良の形態】
【００１２】
以下、本発明の実施形態を図面に基づいて説明する。
図１は、本発明の実施形態に係る建具である連窓１を室内側から見た正面図である。図２は、連窓１を示す横断面図である。
図１および図２において、連窓１は、戸建て住宅等の建物の外壁開口部に設けられて建物の室内空間と室外空間とを仕切る建具であり、図中、左側に設けられる嵌め殺し窓部２と、右側に設けられる外開き窓部３と、これらの嵌め殺し窓部２と外開き窓部３とを仕切って上下に延びる方立４とを備えて構成されている。嵌め殺し窓部２は、上枠２１、下枠２２、および左右の縦枠２３を四周枠組みした窓枠２４と、この窓枠２４の内側に移動不能に支持された固定ガラス２５とを有して構成されている。一方、外開き窓部３は、上枠３１、下枠３２、および左右の縦枠３３，３４を四周枠組みした枠体としての窓枠３５と、この窓枠３５に外開き開閉自在に支持される面材としての開閉パネル３６と、この開閉パネル３６の室内側に設けられる網戸（網戸部材）４０とを備えて構成されている。
【００１３】
以下、外開き窓部３の構造について、図３〜図５も参照して説明する。
図３は、外開き窓部３を断面して示す縦断面図である。図４は、外開き窓部３の開閉パネル３６を開放した状態を示す横断面図である。図５は、外開き窓部３の他の利用形態を示す横断面図である。
外開き窓部３の開閉パネル３６は、アルミ形材製で中空状のパネル本体３６Ａと、このパネル本体３６Ａの内部に充填された断熱材３６Ｂとを有して形成された非透光性の部材であって、図２、図４における右側の縦枠３４にヒンジ部材３６Ｃを介して開閉自在に支持されている。そして、図１に示す開閉操作用の取手３６Ｄを操作して開閉パネル３６を室外側に開放することで、外開き窓部３から外気を室内側に取り入れ、室内の内気を室外に排出して換気できるように構成されている。
【００１４】
外開き窓部３の上枠３１は、図３に示すように、それぞれアルミ形材製の上枠本体３１Ａと、この上枠本体３１Ａに固定される上枠アタッチメント３１Ｂとを有して構成されている。上枠本体３１Ａには、見込み方向に延びる見込み面部３１１と、この見込み面部３１１の室内側に連続して下方に延びる室内見付け面部３１２とが形成されている。上枠アタッチメント３１Ｂは、上枠本体３１Ａの見込み面部３１１にビス止め固定されており、見込み方向中間位置にて下方に延びる中間見付け面部３１３と、中間見付け面部３１３の下端から室内側に延びて室内見付け面部３１２に当接する上枠底面部３１４とを有して形成されている。そして、中間見付け面部３１３の室外側には、閉じた状態の開閉パネル３６の室内側側面に当接する気密材３１Ｃが取り付けられ、開閉パネル３６の上端縁には、上枠本体３１Ａの見込み面部３１１に当接可能な止水材３６１が取り付けられている。
【００１５】
下枠３２は、それぞれアルミ形材製の下枠本体３２Ａと、この下枠本体３２Ａに固定される下枠アタッチメント３２Ｂとを有して構成されている。下枠本体３２Ａには、見込み方向に段付き状に延びる見込み面部３２１と、この見込み面部３２１の室内側に連続して上方に延びる室内見付け面部３２２とが形成されている。下枠アタッチメント３２Ｂは、下枠本体３２Ａの見込み面部３２１にビス止め固定されており、見込み方向中間位置にて上方に延びる中間見付け面部３２３と、中間見付け面部３２３の上端から室内側に延びて室内見付け面部３２２に当接する下枠上面部３２４とを有して形成されている。そして、中間見付け面部３２３の室外側には、閉じた状態の開閉パネル３６の室内側側面に当接する気密材３２Ｃが取り付けられている。
【００１６】
左右の縦枠３３，３４は、図２、図４に示すように、同一断面を有したアルミ形材製の部材から構成され、見込み方向に延びる見込み面部３３１，３４１と、この見込み面部３３１，３４１の見込み方向中間位置から見付け方向内側に延びる第１見付け面部３３２，３４２と、この第１見付け面部３３２，３４２の室内側に対向して見付け方向に延びる第２見付け面部３３３，３４３とを有して形成されている。そして、縦枠３３，３４において、第１見付け面部３３２，３４２と第２見付け面部３３３，３４３との間には、見付け方向内側に開口する凹溝部３３４，３４４が形成されている。また、左右の縦枠３３，３４における第１見付け面部３３２，３４２の室外側には、閉じた状態の開閉パネル３６の室内側側面に当接する気密材３３Ａ，３４Ａが取り付けられている。すなわち、上枠３１および下枠３２の中間見付け面部３１３，３２３、および縦枠３３，３４の第１見付け面部３３２，３４２の室外側に開閉パネル３６が支持されており、これらの中間見付け面部３１３，３２３および第１見付け面部３３２，３４２の室外側側面によって面材支持部が構成されている。また、第１見付け面部３３２，３４２および第２見付け面部３３３，３４３には、それぞれ後述する第１係合部３３５，３４５および第２係合部３３６，３４６が形成されている。
【００１７】
次に、網戸４０は、図３に示すように、上枠３１に設けられる案内部材としての上レール４１と、下枠３２に設けられる案内部材としての下レール４２と、図２、図４に示すように、一方（図中、左側）の縦枠３３に固定される受け部材４３と、他方（図中、右側）の縦枠３４に取り付けられる可動部材４４とを有して構成されている。上レール４１は、上枠３１の上枠底面部３１４にビス止め固定される上レール本体４１Ａと、この上レール本体４１Ａの内部に取り付けられる副レール部材４１Ｂとを有して構成されている。一方、下レール４２は、下枠３２の下枠上面部３２４にビス止め固定される下レール本体４２Ａと、この下レール本体４２Ａの内部に取り付けられる副レール部材４２Ｂとを有して構成されている。
【００１８】
一方、図２、図４に示すように、受け部材４３は、縦枠３３の凹溝部３３４内に挿入されて見込み面部３３１にビス止め固定される受け部材本体４３Ａと、この受け部材本体４３Ａに取り付けられて可動部材４４に当接する表面部材４３Ｂと、可動部材４４の移動框４４Ｂ（後述）に磁着する図示しない磁石とを有して構成されている。また、可動部材４４は、縦枠３４の凹溝部３４４内に挿入されて見込み面部３４１にビス止め固定される固定框４４Ａと、上レール４１および下レール４２に案内されて左右移動自在に設けられる移動框４４Ｂと、固定框４４Ａと移動框４４Ｂとに両側端縁が保持されて折りたたみ伸縮可能に設けられたネット４４Ｃとを有して構成されている。この可動部材４４において、移動框４４Ｂの上下端部には、摺動部材４４１が取り付けられており、これらの摺動部材４４１が上レール本体４１Ａおよび下レール本体４２Ａの凹溝内を摺動して案内されることで、移動框４４Ｂが左右に移動可能に構成されている。
【００１９】
また、図２に示すように、移動框４４Ｂを固定框４４Ａ側に近接させネット４４Ｃを折りたたんだ全開状態において、可動部材４４は、縦枠３４の凹溝部３４４内に収納され、移動框４４Ｂが第１および第２の見付け面部３４２，３４３の先端から突出しないように構成されている。一方、図４に示すように、移動框４４Ｂを受け部材４３側に移動させてネット４４Ｃを伸ばした全閉状態において、移動框４４Ｂの先端部分が縦枠３３の凹溝部３３４に挿入されるとともに、受け部材４３の磁石に移動框４４Ｂの摺動部材４４１が磁着することで、全閉状態が維持されるようになっている。なお、ネット４４Ｃの上下端縁には、図示しない閉塞部材が連結されており、これらの閉塞部材が上レール４１および下レール４２の副レール部材４１Ｂ，４２Ｂの溝に挿入されることで、ネット４４Ｃの上下端縁と上レール４１および下レール４２とに隙間が開かないようになっている。
【００２０】
次に、図５に基づいて、外開き窓部３の他の利用形態について説明する。ここで、外開き窓部３の他の利用形態としては、連窓１の設置場所や利用環境などの条件によって、網戸４０が特段必要とされない場合、あるいは利用者の希望により網戸４０が不要な場合などにおいて、網戸４０を設置しない形態である。ただし、この形態においても、外開き窓部３を構成する上枠３１、下枠３２、左右の縦枠３３，３４および開閉パネル３６は、前述と同一の部材からなり、網戸４０（上レール４１、下レール４２、受け部材４３、可動部材４４）に代えて、左右の縦枠３３，３４にカバー部材５０が取り付けられている。すなわち、上枠３１からは上レール４１が取り外され、下枠３２からは下レール４２が取り外され、一方の縦枠３３からは受け部材４３が取り外され、他方の縦枠３４からは可動部材４４が取り外されている。従って、上枠３１の上枠底面部３１４が露出し、下枠３２の下枠上面部３２４が露出することになるため、上枠３１および下枠３２においてフラットな内観が形成されるようになっている。
【００２１】
そして、カバー部材５０は、第１見付け面部３３２，３４２および第２見付け面部３３３，３４３の第１係合部３３５，３４５および第２係合部３３６，３４６に係合され、凹溝部３３４，３４４を覆って取り付けられている。このカバー部材５０は、第１見付け面部３３２，３４２と第２見付け面部３３３，３４３とに渡って見込み方向に延びるカバー面部５１と、このカバー面部５１から突出して第１係合部３３５，３４５および第２係合部３３６，３４６に係合される被係合突起５２とを有して形成されている。そして、第１見付け面部３３２，３４２に形成される第１係合部３３５，３４５は、当該第１見付け面部３３２，３４２の先端近傍において、凹溝部３３４，３４４側に面した側面が室外側に凹んで形成されている。一方、第２見付け面部３３３，３４３に形成される第２係合部３３６，３４６は、当該第２見付け面部３３３，３４３の先端から室外側に折れ曲がるとともに、見付け方向外側に折れ曲がって形成されている。以上のようなカバー部材５０が取り付けられることによって、左右の縦枠３３，３４においてフラットな内観が形成され、前述の上枠３１の上枠底面部３１４および下枠３２の下枠上面部３２４と、左右の縦枠３３，３４のカバー部材５０とによって、四周に連続した窓枠３５の内周見込み面が形成されるようになっている。
【００２２】
このような本実施形態によれば、以下のような効果がある。
（１）すなわち、利用条件に応じて、網戸４０を設けたり、網戸４０を設けずに縦枠３３，３４にカバー部材５０を設けたりすることができるので、外開き窓部３の利用形態として網戸４０付きのタイプと網戸４０なし（カバー部材５０付き）のタイプとが選択可能となり、このような利用形態を容易に変更することもできる。そして、網戸４０付きのタイプおよび網戸４０なしのタイプの両方の利用形態において、共通の窓枠３５が利用できるので、製造する部材の種類を増やすことなく、利用者の要求に対応することができるとともに、建物に窓枠３５を取り付けた後であっても網戸４０およびカバー部材５０のいずれかを選択して設置することができる。さらに、連窓１（外開き窓部３）の設置当初においては網戸４０を設置しない設定であって、縦枠３３，３４にカバー部材５０を取り付けたとしても、使用開始後に網戸４０が必要となれば、カバー部材５０を取り外してから、網戸４０（上レール４１、下レール４２、受け部材４３、可動部材４４）を設置することもでき、またはその逆も可能であり、利用者の利便性を向上させることができる。
【００２３】
（２）また、網戸４０付きのタイプで外開き窓部３を構成した場合には、網戸４０の受け部材４３が縦枠３３の凹溝部３３４内に設けられるとともに、可動部材４４の開放状態において移動框４４Ｂおよびネット４４Ｃが縦枠３４の凹溝部３４４内に収納されるので、可動部材４４などが室内側に露出せず、外開き窓部３の室内側からの意匠性を向上させることができる。一方、網戸４０なしのタイプで外開き窓部３を構成してカバー部材５０を縦枠３３，３４に取り付けた場合には、このカバー部材５０で凹溝部３３４，３４４を覆って隠蔽できるので、凹溝部３３４，３４４の凹凸や内部が室内側から見えず、外開き窓部３の意匠性を向上させることができる。さらに、網戸４０なしのタイプでは、網戸４０の上レール４１および下レール４２を、それぞれ上枠３１および下枠３２から取り外す（あるいは取り付けない）ことで、上枠３１および下枠３２の内観がフラットに形成できる。そして、これらの上枠底面部３１４および下枠上面部３２４と縦枠３３，３４のカバー部材５０とによって、フラットな窓枠３５の内周見込み面を形成することができ、外開き窓部３の室内側からの意匠性をさらに向上させることができる。
【００２４】
（３）また、網戸４０を構成する上レール４１、下レール４２、受け部材４３および可動部材４４やカバー部材５０が窓枠３５の見込み寸法内に設けられるので、網戸４０付きのタイプで外開き窓部３を構成した場合、および網戸４０なしのタイプで外開き窓部３を構成した場合、のいずれの利用形態においても、窓枠３５の室内側側面（室内見付け面部３１２，３２２および第２見付け面部３３３，３４３）よりも室内側に部品が突出することがない。従って、連窓１において外開き窓部３に隣り合う嵌め殺し窓部２と室内側側面の見込み位置を揃えることができ、意匠性が向上できるとともに、連窓１の室内側に内装材（例えば、カーテンやブラインド等）が設けられる場合でも、網戸４０やカバー部材５０が内装材の邪魔になることなく、取付性や利便性を向上させることができる。
【００２５】
なお、本発明は、前記実施形態に限定されるものではなく、本発明の目的を達成できる他の構成等を含み、以下に示すような変形等も本発明に含まれる。
例えば、前記実施形態においては、連窓１に設けられる外開き窓部３において、網戸４０またはカバー部材５０が取り付けられていたが、本発明の建具は、単窓であってもよい。
さらに、本発明の建具としては、外開き窓に限らず、縦（横）辷出し窓、突き出し窓などの面材が室外側に回動して開閉されるものでもよく、引違い窓や片引き窓、上げ下げ窓などの面材が左右または上下にスライドして開放されるものであってもよい。
【００２６】
また、前記実施形態では、網戸４０を構成する案内部材としての上レール４１および下レール４２が、それぞれ上枠３１の上枠底面部３１４および下枠３２の下枠上面部３２４に着脱可能に取り付けられていたが、案内部材は、上枠３１および下枠３２のいずれか一方のみに設けられてもよく、また上枠底面部３１４や下枠上面部３２４などの見込み面以外の部分に設けられてもよい。さらに、案内部材としては、上枠３１や下枠３２と別体で形成されて取り付けられるものに限らず、上枠や下枠と一体に形成されていてもよい。この場合には、上枠や下枠においても縦枠３３，３４と同様の凹溝部が形成され、これらの凹溝部内に案内部が設けられることが好ましく、網戸を設けない利用形態においては、上枠や下枠の凹溝部が前記カバー部材５０と同様のカバー部材で覆われることが好ましい。
【００２７】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００２８】
【図１】本発明の実施形態に係る建具を示す正面図である。
【図２】前記建具を示す横断面図である。
【図３】前記建具を示す縦断面図である。
【図４】前記建具の面材を開放した状態を示す横断面図である。
【図５】前記建具の他の利用形態を示す横断面図である。
【符号の説明】
【００２９】
１…連窓（建具）、３…外開き窓部、３１…上枠、３２…下枠、３３，３４…縦枠、３５…窓枠（枠体）、３６…開閉パネル（面材）、４０…網戸（網戸部材）、４１…上レール（案内部材）、４２…下レール（案内部材）、５０…カバー部材、３３２，３４２…第１見付け面部、３３３，３４３…第２見付け面部、３３４，３４４…凹溝部、３３５，３４５…第１係合部、３３６，３４６…第２係合部。
【図１】
0005234597.tif 000002
【図２】
0005234597.tif 000003
【図３】
0005234597.tif 000004
【図４】
0005234597.tif 000005
【図５】
0005234597.tif 000006